(57)【特許請求の範囲】
【請求項１】
眼鏡レンズを研磨する眼鏡レンズの研磨装置から発生された研磨水を再生し、スラッジを除去する眼鏡レンズの研磨水の再生及びスラッジの除去装置において、
前記眼鏡レンズの研磨装置に取付けられ、眼鏡レンズの研磨装置をオンオフさせる作動スイッチ；
前記眼鏡レンズの研磨装置から排出された研磨水を収集する収集槽；
前記収集槽の研磨水を空気圧の力によってバッグフィルターに噴射するエアポンプ；
前記エアポンプに空気圧を伝達するエアコンプレッサ；
前記エアコンプレッサからエアポンプに伝達する空気圧をオンオフするソレノイドバルブ；
前記エアポンプによって伝達された研磨水から眼鏡レンズの粉末を除去し、研磨水を濾過させるバッグフィルター；
前記バッグフィルターから濾過された研磨水が貯蔵される貯蔵槽；
前記貯蔵槽の研磨水を再度前記眼鏡レンズの研磨装置に引き上げる水中ポンプ；及び
前記エアポンプの空気を前記貯蔵槽の研磨水に供給する空気供給管；を含み、
前記ソレノイドバルブ及び前記水中ポンプは前記眼鏡レンズの研磨装置の作動スイッチと電気的に連結され、眼鏡レンズの研磨装置の作動スイッチがオンオフされることによってソレノイドバルブと水中ポンプとがオンオフされ、前記収集槽から研磨水が溢れ出すことを防止し研磨水を貯蔵槽に排出されるように前記収集槽の一側面には排出口が設けられる
ことを特徴とする眼鏡レンズの研磨水の再生及びスラッジの除去装置。
【請求項２】
眼鏡レンズを研磨する眼鏡レンズの研磨装置から発生された研磨水を再生し、スラッジを除去する眼鏡レンズの研磨水の再生及びスラッジの除去装置において、
前記眼鏡レンズの研磨装置に取付けられ、眼鏡レンズの研磨装置をオンオフさせる作動スイッチ；
前記眼鏡レンズの研磨装置から排出された研磨水を収集する収集槽；
前記収集槽の研磨水を空気圧の力によってバッグフィルターに噴射するエアポンプ；
前記エアポンプに空気圧を伝達するエアコンプレッサ；
前記エアコンプレッサからエアポンプに伝達する空気圧をオンオフするソレノイドバルブ；
前記エアポンプによって伝達された研磨水から眼鏡レンズの粉末を除去し研磨水を濾過させるバッグフィルター；
前記バッグフィルターから濾過された研磨水が貯蔵される貯蔵槽；
前記貯蔵槽の研磨水を再度前記眼鏡レンズの研磨装置に引き上げる水中ポンプ；及び
前記エアポンプの空気を前記貯蔵槽の研磨水に供給する空気供給管；を含み、
前記ソレノイドバルブ及び前記水中ポンプは前記眼鏡レンズの研磨装置の作動スイッチと電気的に連結され、眼鏡レンズの研磨装置の作動スイッチがオンオフされることによってソレノイドバルブと水中ポンプとがオンオフされ、
前記バッグフィルターはねじ山が設けられた下部キャップに固定され、
前記下部キャップはねじ山が設けられた上部キャップとねじ結合される
ことを特徴とする眼鏡レンズの研磨水の再生及びスラッジの除去装置。
【請求項３】
眼鏡レンズを研磨する眼鏡レンズの研磨装置から発生された研磨水を再生し、スラッジを除去する眼鏡レンズの研磨水の再生及びスラッジの除去装置において、
前記眼鏡レンズの研磨装置に取付けられ、眼鏡レンズの研磨装置をオンオフさせる作動スイッチ；
前記眼鏡レンズの研磨装置から排出された研磨水を収集する収集槽；
前記収集槽の研磨水を空気圧の力によってバッグフィルターに噴射するエアポンプ；
前記エアポンプに空気圧を伝達するエアコンプレッサ；
前記エアコンプレッサからエアポンプに伝達する空気圧をオンオフするソレノイドバルブ；
前記エアポンプによって伝達された研磨水から眼鏡レンズの粉末を除去し研磨水を濾過させるバッグフィルター；
前記バッグフィルターから濾過された研磨水が貯蔵される貯蔵槽；
前記貯蔵槽の研磨水を再度前記眼鏡レンズの研磨装置に引き上げる水中ポンプ；及び
前記エアポンプの空気を前記貯蔵槽の研磨水に供給する空気供給管；を含み、
前記ソレノイドバルブ及び前記水中ポンプは前記眼鏡レンズの研磨装置の作動スイッチと電気的に連結され、眼鏡レンズの研磨装置の作動スイッチがオンオフされることによってソレノイドバルブと水中ポンプとがオンオフされ、
前記バッグフィルターの上部はリングに巻かれ、前記バッグフィルターは固定キャップによって固定される
ことを特徴とする眼鏡レンズの研磨水の再生及びスラッジの除去装置。
【請求項４】
前記水中ポンプによって前記研磨装置へ流される研磨水の一部を前記貯蔵槽の上部から前記貯蔵槽の内壁に沿わせて貯蔵槽内に供給する研磨水供給分岐管を備える
請求項１〜３のいずれか１つに記載の眼鏡レンズの研磨水の再生及びスラッジの除去装置。
【発明の詳細な説明】
【技術分野】
【０００１】
本発明は眼鏡レンズの研磨時に使用された研磨水を再生及びスラッジ（眼鏡レンズの粉末）を除去するための装置で、もっと詳しくは眼鏡レンズを一定な大きさ及び形態に研磨加工をする時、発生された粉末を研磨水から分離及び除去し研磨水を最初のような清水に再使用が可能になるようにする眼鏡レンズの研磨水の再生及びスラッジの除去装置に関する。
【０００２】
眼鏡店で眼鏡のレンズを眼鏡の縁に合わせて一定な大きさ及び形態に研磨加工をしようとする時、眼鏡レンズと研磨機との摩擦により発生される熱を冷やし、レンズの研磨時に微細に発生されるレンズの粉末が飛散することを抑制するため研磨水が供給される。この研磨水は眼鏡のレンズを研磨しながら発生されたレンズの粉末と混合される。
【０００３】
本発明はスラッジ（レンズの粉末）を研磨水から除去し研磨水を再使用することができ、研磨水に混じっているスラッジ（レンズの粉末）を分離及び回収し、水質の汚染を防ぐための眼鏡レンズの研磨水の再生及びスラッジの除去装置に関する。
【背景技術】
【０００４】
一般に眼鏡のレンズは一定な規格を持つ円形の形態に生産され眼鏡の縁の形態に合わせて設計した後、その設計された部位をレンズの研磨装置を使用し研磨することにより仕上げの処理がされるのであるが、通常に眼鏡のレンズはグラス又はプラスチックが主種になり、研磨時微細な粒子の形態で粉砕された粉末が形成されるから研磨の過程中研磨機が磨耗され珪砂等が離れ出されることも発生する。
【０００５】
特に眼鏡のレンズの研磨時、研磨機とレンズとの間に摩擦による熱の発生を抑制し、粉末の飛散を防ぐために研磨水を眼鏡レンズの研磨装置に供給する。この研磨水とスラッジが混合されそのまま下水口に排出される。又、研磨水の貯蔵槽に加工済の研磨水を一定時間放置しスラッジを沈殿させた後研磨水とスラッジとを分離し各々別に廃棄処分したりした。
【０００６】
現在、眼鏡店で通常に使用される方式としては眼鏡レンズの研磨装置の下部に研磨水が貯蔵される貯蔵槽を設置し、貯蔵槽から研磨水を研磨機に供給する水中ポンプが設置された方式が挙げられる。
【０００７】
レンズの粉末が水に混合された研磨水は泥のようにスラッジ化され下水口をよく塞ぎ、それにより水質汚染の主要な問題の一つに作用する。又、研磨水（汚廃水）を貯蔵する貯蔵槽を設置しない状態で直水（水道管から直接出る水）を使用し研磨水をそのまま下水道に排出させると、これも水質汚染の直接的な原因になる。又、研磨水の使用が一回に限定され水の消費が増加され経済的な負担にもなる。
【０００８】
前記のような研磨水の処理上の問題点を解決するために従来研磨水を再生し研磨水から研磨粉末を除去する研磨水の再生装置が開発された。開発された研磨水の再生装置の中、特許文献１等が挙げられる。
【０００９】
【特許文献１】韓国出願公開第１０−２００１−３５５２４号公報
【特許文献２】韓国出願公開第２０−１９９９−４１７８３号公報
【特許文献３】韓国特許第１０−６８０６５３号公報
【特許文献４】特開２００３−２６６３０７号公報
【特許文献５】特開平３−２３２５１０号公報
【発明の開示】
【発明が解決しようとする課題】
【００１０】
しかしながら、前記の特許文献１は、単純にフィルターを通じた研磨水の自由落下により、レンズの研磨時に発生される異物質を研磨水と分離するものであるから、フィルターの上部に積層されスラッジ化された微細な粉末形態の異物質がフィルターを通じた研磨水の自由落下を妨害し濾過の効率が低下される問題もあったのである。
【００１１】
それにフィルターの上部に積層されるスラッジの除去及び処理が容易ではない問題点がありスラッジに水分が残存し液体化することによりスラッジを除去してからもフィルターにスラッジが残されているので、フィルターの濾過機能が麻痺される問題点もあった。即ち、濾過時間が長くなり、研磨水が濾過されていないまま貯蔵槽から溢れ出される且つ集水槽に研磨水が円滑に供給できないのでレンズの研磨作業時研磨水が供給できない問題点等もあったのである。又、フィルターの交替時期などが分かりにくい、確実なスラッジの除去には限界があった。
【００１２】
これらの問題点のため現在開発された眼鏡レンズの研磨水の再生及びスラッジの再生装置は幅広く実用化できない状態である。
【００１３】
本発明の目的は上記した問題を解決するためのことであり、大きさのコンパクト化で設置の空間に拘らず、自由落下の方式ではなくエアポンプの力によってスラッジを水からフィルタリングし、研磨水の再生効率及びスラッジの除去効率を高められ、研磨水からスラッジを除去するフィルターが相当の期間交替しないまま使用できる眼鏡レンズの研磨水の再生及びスラッジの除去装置を提供することである。
【００１４】
本発明の他の目的はフィルターに収集されたスラッジを除去する時期が感知できるようにアラーム装置を取り付けフィルターの交替時期を自動に知らせる眼鏡レンズの研磨水の再生及びスラッジの除去装置を提供することである。
【００１５】
本発明のもう一つの他の目的はフィルターを自由に誰も容易に脱付着させることができる眼鏡レンズの研磨水の再生及びスラッジの除去装置を提供することである。
【課題を解決するための手段】
【００１６】
上記の目的を達成するための本発明にかかる眼鏡レンズの研磨水の再生及びスラッジの除去装置は眼鏡レンズを研磨する眼鏡レンズの研磨装置から発生された研磨水を再生する研磨水の再生及びスラッジの除去装置で、前記眼鏡レンズの研磨装置から排出された研磨水を収集する収集槽；前記収集槽の研磨水を空気圧によってバッグフィルターに噴射するエアポンプ；前記エアポンプに空気圧を伝達するエアコンプレッサ；前記エアコンプレッサからエアポンプに伝達される空気圧をオンオフさせるソレノイドバルブ；前記エアポンプによって伝達された研磨水から眼鏡レンズの粉末（スラッジ）を除去し、研磨水を濾過させるバッグフィルター（ｂａｇ  ｆｉｌｔｅｒ）；前記バッグフィルターによって濾過された研磨水が貯蔵される貯蔵槽；及び前記貯蔵槽の研磨水を再度前記眼鏡レンズの研磨装置に引き上げる水中ポンプ；を含む。
【００１７】
本発明の望ましい実施例によると、前記収集槽の一側に水位調節センサーが設置され、前記水位調節センサーの信号によって音の発生するベルが設置される。
【００１８】
本発明の望ましい実施例によると、前記収集槽から研磨水が溢れ出すことを防止し、研磨水が貯蔵槽側に排出されるように前記収集槽の一側面には排出口が設けられる。
【００１９】
本発明の望ましい実施例によると、前記バッグフィルターはねじ山が設けられた下部キャップに固定され、前記下部キャップはねじ山が設けられた上部キャップとねじ結合される。
【００２０】
本発明の望ましい実施例によると、前記バッグフィルターの上部はリングに巻かれ、前記リングと前記バッグフィルターとは固定キャップによって固定される。
【００２１】
本発明の望ましい実施例によると、前記エアポンプはエアダイアフラムポンプである。
【発明の効果】
【００２２】
以上のように本発明の眼鏡レンズの研磨水の再生装置は研磨水の使用を繰り返すことができるので節水の効果があり、その大きさもコンパクト化され設置空間の制約などの問題が解決できるし、エアポンプの空気圧を用い研磨水からスラッジを分離するのでスラッジの除去効率が極めて高い、バッグフィルターを用いその内部のスラッジを除去するので掃除も簡単である。
【００２３】
また、水位調節センサーを取付けバッグフィルターの交替時期ないしスラッジの除去時期を知らせ、収集槽に別の排出口を設けられ収集槽から研磨水が溢れ出すことも防止できるから使用者がもっとも便利に且つ簡便に利用できる。
【００２４】
更に、バッグフィルターによって完璧にスラッジが除去できるので、従来のように廃スラッジを無断放流することにより環境汚染の発生する問題も解決できるし、眼鏡レンズの研磨装置の作動（ｓｔａｒｔ／ｓｔｏｐ）スイッチと電気的に連結されているので研磨装置の作動スイッチの作動だけで研磨水の再生過程が行われる自動化工程も可能である。
【発明を実施するための最良の形態】
【００２５】
以下、本発明の実施の形態について図面を参照しながら説明し、本発明の理解に供する。
図１は本発明にかかる眼鏡レンズの研磨水の再生及びスラッジの除去装置の概念断面図である。図１を参照すると、本発明にかかる眼鏡レンズの研磨水の再生及びスラッジの除去装置１００は眼鏡レンズの研磨装置２の下端に設置され、眼鏡レンズ１の研磨から発生された研磨水を再生する。即ち、眼鏡レンズの研磨粉末（スラッジ）を分離及び除去することになる。
【００２６】
図のように本発明の眼鏡レンズの研磨水の再生装置１００は収集槽１０、ソレノイドバルブ１２、エアポンプ１４、エアコンプレッサ１６、貯蔵槽１８、バッグフィルター２０、及び水中ポンプ２８を含む。眼鏡レンズ１の研磨時、粉のような状態の眼鏡レンズの粉末が発生され、これらの眼鏡レンズの粉末を除去すると共に眼鏡レンズと研磨機との摩擦により発生される熱を冷やすため、水が眼鏡レンズの表面にかけられる。眼鏡レンズの粉末が混合された水の研磨水は排出管５を通じて眼鏡レンズの研磨装置２から排出される。
【００２７】
本発明の眼鏡レンズの研磨水の再生及びスラッジの除去装置での研磨水の再生過程は次のようになる。
まず、排出管５を通じて排出された研磨水は収集槽１０に集まり、前記収集槽１０に集まった研磨水はソレノイドバルブ１２が開けられるとエアポンプ１４の空気圧でバッグフィルター２０に噴射される。研磨水はバッグフィルター２０を通過してからスラッジ（レンズの粉末）が濾過され、濾過された清水は貯蔵槽１８に集まるようになる。前記貯蔵槽１８では水中ポンプ２８が設置され、前記水中ポンプ２８の力で流入管６を通じてきれいに浄化された研磨水が再度、眼鏡レンズの研磨装置２にある眼鏡レンズ１に供給される。本発明にかかる眼鏡レンズの研磨水の再生及びスラッジの除去装置１００は、研磨水が眼鏡レンズの研磨装置２、収集槽１０、エアポンプ１４、バッグフィルター２０、貯蔵槽１８の順に循環し、前記バッグフィルター２０からスラッジ（レンズの粉末）が濾過される構造である。
【００２８】
前記ソレノイドバルブ１２は電気力によってオンオフされるバルブでエアコンプレッサ１６とエアポンプ１４との間に設けられエアフィルター１４に伝達される空気圧をオンオフさせる。
【００２９】
前記ソレノイドバルブ１２は眼鏡レンズの研磨装置２の作動（ｓｔａｒｔ／ｓｔｏｐ）スイッチ（図示しない）と電気的に連結されている。使用者が眼鏡レンズの研磨装置２を作動（ｓｔａｒｔ／ｓｔｏｐ）させると（作動（ｓｔａｒｔ／ｓｔｏｐ）スイッチＯＮ）、ソレノイドバルブ１２も同時に開けられ、これに従ってエアポンプ１４は空気圧で収集槽１０に集まった研磨水をバッグフィルター２０に噴射することになる。逆に眼鏡レンズの研磨装置２の作動（ｓｔａｒｔ／ｓｔｏｐ）スイッチが自動にオフされると（ＯＦＦ）、ソレノイドバルブ１２も同時に閉められ、これに従ってバッグフィルター２０への研磨水の移動も止まるようになる。
前記エアポンプ１４はエアコンプレッサ１６の空気圧によって収集槽１０内の研磨水をバッグフィルター２０に噴射する役割をする。
【００３０】
本発明でエアポンプを用いた理由は通常の従来研磨水の濾過方式が自由落下による方式であるが、このような方式を使用する場合には研磨水からスラッジ（レンズの粉末）を濾過させるにあまりにも時間がかかり過ぎるし、スラッジが濾過されていない状態で濾過器（フィルター）から溢れ出される問題があったからこれを解決するためのことである。
【００３１】
即ち、本発明ではエアポンプを用い空気圧で研磨水を強い力でバッグフィルターに噴射させることにより、研磨水がフィルターで淀む時間をほとんどなくすようにし、濾過時間を画期的に短縮するようにすると共に既存の製品のように研磨水がフィルターから溢れ出す問題を解決し、効率的にスラッジが除去できることになる。
【００３２】
望ましくは、エアポンプ１４は流体に接触せず流体を制御するためにエアダイアフラムポンプが用いられる。
【００３３】
本発明でのもう一つの特徴はフィルターとしてバッグフィルター（ｂａｇ  ｆｉｌｔｅｒ）２０を採択したことである。バッグフィルター２０は通常空気の浄化等に使用されるもので、布で作られたフィルターである。バッグフィルター２０は研磨水からスラッジのみ捕集し、水はそのまま通過させ貯蔵槽１８に集まることになる。バッグフィルター２０は布で作られたので、扱いが易いし、簡単に分離し内部に捕集されたスラッジを処理することができる。
【００３４】
貯蔵槽１８に集まる水は水中ポンプ２８の駆動で再度流入管６を通じて眼鏡レンズの研磨装置２に送られる。
【００３５】
本発明にかかる眼鏡レンズの研磨水の再生及びスラッジの除去装置１００は眼鏡レンズの研磨装置２に付着された作動（ｓｔａｒｔ／ｓｔｏｐ）スイッチ（図示しない）のオンオフ信号によって自動にオンオフされる自動システムであ。即ち、眼鏡レンズの研磨装置２の作動（ｓｔａｒｔ／ｓｔｏｐ）スイッチがオンオフされることにより眼鏡レンズの研磨水の再生及びスラッジの除去装置１００がオンオフされることになる。これはソレノイドバルブ１２と水中ポンプ２８とが全部眼鏡レンズの研磨装置２の作動（ｓｔａｒｔ／ｓｔｏｐ）スイッチと電気的に連結されているからである。従って、眼鏡レンズの研磨装置２の作動（ｓｔａｒｔ／ｓｔｏｐ）スイッチをオンすると、ソレノイドバルブ１２と水中ポンプ２８とがオン（ｏｎ）され研磨水の再生及び循環が行われ、眼鏡レンズの研磨装置２の作動（ｓｔａｒｔ／ｓｔｏｐ）スイッチが自動にオフされると、ソレノイドバルブ１２と水中ポンプ２８ともオフ（ｏｆｆ）され研磨水の再生及び循環が自動にとまることになる。
【００３６】
ところで若しバッグフィルター２０にスラッジ（レンズの粉末）が全部満たされると、研磨水はバッグフィルター２０に移動しないで収集槽１０に集まり、収集槽１０から溢れ出すことになる。これを防止するために本発明では収集槽１０の一側面に排出口１１が設けられる。前記排出口１１は収集槽１０の研磨水を貯蔵槽１８にすぐ送るための用度であり、収集槽１０に集まった研磨水が一定水位まで上がってくると排出口１１を通じてすぐ貯蔵槽１８に排出されることになる。
【００３７】
一方、収集槽１０の側面には水位調節センサー３０が追加に設けられ、これも収集槽１０から研磨水が溢れ出すことを防止するためのものである。
前記バッグフィルター２０が塞がり前記収集槽１０内の研磨水が一定水位まで上がってくると、前記水位調節センサー３０がこれを感知し一側に付着されたベル３２で信号を伝達することになる。これに従って、自動にベル３２が鳴と、使用者はバッグフィルター２０にスラッジが満たされたことを認知し、前記バッグフィルター２０を分離してから内部に捕集されたスラッジを除去することができる。
【００３８】
一方、前記収集槽１０の研磨水が貯蔵槽１８へ溢れ出す且つ長時間の使用で貯蔵槽１８の研磨水（水）を交替する必要がある場合のために前記貯蔵槽１８の一側に排出穴１９及び排出用バルブ１７が設けられる。前記貯蔵槽１８の研磨水を交替する際に前記排出用バルブ１７を開け、前記排出穴１９を通じてから研磨水の排出が可能になる。
【００３９】
図２は本発明の望ましい一つの実施例によるバッグフィルターの固定方式を図示する断面図であり、図３は図２のバッグフィルターの固定方式で用いられるリングと固定キャップの形態を図示した斜視図である。
【００４０】
図２及び図３を参照すると、バッグフィルター２０の上部をリング２２に包んだ後、固定キャップ２１でバッグフィルター２０をリング２２に固定させる。前記固定キャップ２１は側面の蝶ナットを用い確り締めることができる。
【００４１】
図４は本発明の望ましい他の実施例にかかるバッグフィルターの固定方式を図示する断面図である。図４の方式はより簡便にバッグフィルターの固定ができるのである。
【００４２】
図４を参照すると、バッグフィルター２０はねじ山２４ａが形成された下部キャップ２４に固定され、前記下部キャップ２４を回転させねじ山２３ａが形成された上部キャップ２３とねじ結合させることによって、より簡便に前記バッグフィルター２０の着脱ができる。
【００４３】
図４には前記下部キャップ２４の内面にねじ山２４ａが形成され、上部キャップ２３の外面にせねじ山２３ａが形成されている様子を図示したのであるが、これに限らず下部キャップの外面にねじ山が形成され、上部キャップの内面にねじ山が形成されることができることは言うまでもない。
【００４４】
図５は、本発明の他の例にかかる眼鏡レンズの研磨水の再生及びスラッジの除去装置の概略断面図である。図５に示した装置が、エアポンプ１４の空気を貯蔵槽１８の研磨水に供給する空気供給管１４Ａを備え、空気供給管１４Ａを通る空気の量は弁１４Ｂによって調整される点、並びに図５に示した装置が、水中ポンプ２８によって流入管６を通して研磨装置２へ流される浄化された研磨水の一部を、貯蔵槽１８の上部から貯蔵槽１８の内壁に沿わせて貯蔵槽１８内に供給する研磨水供給分岐管６Ａを備え、浄化された研磨水が流入管６と研磨水供給分岐管６Ａとに分配される量はコック弁６Ｂによって調整される点以外は、図５に示した装置は図１に示した装置と同じである。
貯蔵槽１８の研磨水に供給される空気によって研磨水が撹拌されるので、貯蔵槽１８の底部へのスラッジの堆積や貯蔵槽１８の内壁へのスラッジの付着を抑制でき、スラッジを早く除去できる。
また、貯蔵槽１８の上部から貯蔵槽１８の内壁に沿わせて供給される浄化された研磨水の一部によって、貯蔵槽１８の内壁へのスラッジの付着をより一層抑制できる。
なお、図５において、空気が排出される箇所は１箇所しか示されていないが、複数箇所から空気が排出されてもよいことは勿論である。また、図５に示していないが、バッグフィルター２０を囲む貯蔵槽１８の内壁の上部に沿って、浄化された研磨水が通る通路が設けられており、この通路と内壁との間に隙間が形成され、この隙間に、浄化された研磨水が落ちるので、貯蔵槽１８の内壁に沿って、浄化された研磨水が流れ落ちる。
【００４５】
以上、本発明の望ましい他の実施例にかかる眼鏡レンズの研磨水の再生及びスラッジの除去装置に対し詳述した。上述の実施例は本発明にかかる一つの実施例に過ぎない、当該技術分野で通常の知識を持つ人により本発明の技術的な思想の範囲内で多様な修正及び変更が可能であることは言うまでもない。このような多様な修正及び変更も本発明の技術的な思想の範囲内ならば上述された本発明の請求範囲に属することにする。
【図面の簡単な説明】
【００４６】
【図１】本発明の望ましい実施例にかかる眼鏡レンズの研磨水の再生及びスラッジの除去装置の概略断面図である。
【図２】本発明の望ましい一実施例にかかるバッグフィルターの固定方式を図示する断面図である。
【図３】図２のバッグフィルターの固定方式に使用されるリングと固定キャップの態様を図示した斜視図である。
【図４】本発明の望ましい他の実施例にかかるバッグフィルターの固定方式を図示する断面図である。
【図５】本発明の他の例にかかる眼鏡レンズの研磨水の再生及びスラッジの除去装置の概略断面図である。
【符号の説明】
【００４７】
１    眼鏡レンズ
２    眼鏡レンズの研磨装置
５    排出管
６    流入管
６Ａ  研磨水供給分岐管
６Ｂ  コック弁
１０    収集槽
１１    排出口
１２    ソレノイドバルブ
１４    エアポンプ
１４Ａ  空気供給管
１４Ｂ  弁
１６    エアコンプレッサ
１７    排出用バルブ
１８    貯蔵槽
１９    排出穴
２０    バッグフィルター
２１    固定キャップ
２２    リング
２３    上部キャップ
２３ａ  ねじ山
２４    下部キャップ
２４ａ  ねじ山
２８    水中ポンプ
３０    水位調節センサー
３２    ベル
１００    眼鏡レンズの研磨水の再生及びスラッジの除去装置
【要約】
【課題】眼鏡レンズを一定な大きさ及び形態に研磨加工をする時、発生されたスラッジを研磨水から分離及び除去し、研磨水を最初のような清水に再使用が可能になるようにする眼鏡レンズの研磨水の再生及びスラッジの除去装置を提供する。
【解決手段】眼鏡レンズの研磨水の再生及びスラッジの除去装置は、眼鏡レンズの研磨装置から排出された研磨水を収集する収集槽;収集槽の研磨水を空気圧でバッグフィルターに噴射するエアポンプ;エアポンプに空気圧を伝達するエアコンプレッサ;エアコンプレッサからエアポンプに伝達される空気圧をオンオフさせるソレノイドバルブ;エアポンプにより伝達された研磨水から眼鏡レンズのスラッジを除去し研磨水を濾過させるバッグフィルター;バッグフィルターから濾過された研磨水が貯蔵される貯蔵槽；及び貯蔵槽の研磨水を再び眼鏡レンズの研磨装置に引き上げる水中ポンプを含む。
【選択図】図１【図１】
0004237816.tif 000002
【図２】
0004237816.tif 000003
【図３】
0004237816.tif 000004
【図４】
0004237816.tif 000005
【図５】
0004237816.tif 000006